(57)【要約】【課題】温水洗浄便座装置の洗浄ノズルから噴出される温水の持続時間を長くするために給水拡散を行う入水ガイドの先端を温水ヒーターに近づけ、さらに温水ヒータのワット数を大きくした場合において、洗浄ノズルから噴出される温水の持続時間を長く保ちつつ、熱交換タンクの空焚き時に給水ガイドの先端が著しく炭化することなく、温度ヒューズが溶断する機能を保持できる温水洗浄便座装置を提供する。【解決手段】洗浄水を噴出して人体局部を洗浄する洗浄ノズルと、外部より供給された水を貯溜し、温水に変換する熱交タンクを備え、その熱交タンクにおける温水ヒーターがタンク下部にあり、且つ水の供給口がタンク上面にあり、供給口に螺合された給水拡散を行う円錐状のロートを難燃性の高分子材料または金属により構成した。【選択図】  図２
2004360285.tif 000002
【特許請求の範囲】
【請求項１】
洗浄水を噴出して人体局部を洗浄する洗浄ノズルと、外部より供給された水を貯溜しタンク内に配置した温水ヒーターで温水に変換する熱交タンクと、を備えた温水洗浄便座装置において、タンク上面に前記水を前記タンク内に供給する供給口と、前記供給口に係合され、前記温水ヒーターの近傍まで前記水を導く給水ガイド部材とを有し、前記給水ガイド部材を金属により構成したことを特徴とする温水洗浄便座装置。
【請求項２】
洗浄水を噴出して人体局部を洗浄する洗浄ノズルと、外部より供給された水を貯溜しタンク内に配置した温水ヒーターで温水に変換する熱交タンクと、を備えた温水洗浄便座装置において、タンク上面に前記水を前記タンク内に供給する供給口と、前記供給口に係合され、前記温水ヒーターの近傍まで前記水を導く給水ガイド部材とを有し、前記給水ガイド部材を難燃性の高分子材料により構成したことを特徴とする温水洗浄便座装置。
【発明の詳細な説明】
【０００１】
【発明の属する技術分野】
本発明は、洗浄水を噴出して人体局部を洗浄する洗浄ノズルと、外部より供給された水を貯溜し、温水に変換する熱交換タンクを備えた温水洗浄便座装置に関する。
【０００２】
【従来の技術】
温水洗浄便座装置に備えられている熱交換タンクは、タンク内の水の有無を検出するフロートスイッチ、タンク内へ水が過剰に供給された場合に水をタンク外へ排出するバキュームブレーカー、沸かした温水の温度を検知し湯温を制御するサーミスタ、湯温制御機能が故障したとき作動するバイメタル式の温度過昇防止熱交換タンクの空焚き時に温水ヒーターへの通電経路を遮断する温度ヒューズ、タンク内の水を温める温水ヒーターなどが組付けられる。さらに、熱交換タンク内に供給される水の供給口がタンク上面に備えられる場合は、供給された水が効率よく温水ヒーターの近くに給水拡散を行うために、円錐状の入水ガイドが水の供給口に接合される。（例えば特許文献１参照。）
【０００３】
また、熱交換タンクおよびこれに接合される円錐状の入水ガイドの材質としては、従来、ガラス繊維強化ナイロン６６樹脂、ガラス繊維強化ＡＢＳ樹脂、ガラス繊維強化ポリプロピレン樹脂等の熱可塑性樹脂が使用されている。
【０００４】
温水洗浄便座装置において、洗浄ノズルから噴出される温水の持続時間は長いほど人体局部の洗浄時に冷水が噴出するといった不具合が生じにくい。この温水の持続時間を長くするためには、熱交タンク内における水の給水拡散が効率よく行われ、温水ヒーターによりすばやく冷水を温水に変換する必要がある。このため、給水拡散を行う入水ガイドの先端が温水ヒーター近く備えられると、供給された水が温水ヒーターにより早く温められ、洗浄ノズルから放出される温水の放出時間が長くなる。これに加え、温水ヒーターの出力ワット数を大きくすると、供給された水が早く温水に変換され、温水の持続時間は長くなる。
【０００５】
【特許文献１】
特開２０００−１０４３１６号公報
【０００６】
【発明が解決しようとする課題】
温水洗浄便座装置において、洗浄ノズルから噴出される温水の持続時間を長くするために給水拡散を行う入水ガイドの先端を温水ヒーターに近づけ、さらに温水ヒータのワット数を大きくしようとすると、熱交換タンクの空焚き時に温水ヒーターの熱によって温度ヒューズが溶断する以前に、ガラス繊維強化ナイロン６６樹脂、ガラス繊維強化ＡＢＳ樹脂、ガラス繊維強化ポリプロピレン樹脂等の熱可塑性樹脂からなる入水ガイドの先端が温水ヒーターの熱によって著しく炭化する可能性があり、実施困難であり、設計の自由度を阻害する要因となっていた。
【０００７】
従って、本発明は、洗浄ノズルから噴出される温水の持続時間を長く保ちつつ、熱交換タンクの空焚き時に入水ガイドの先端が著しく炭化することなく、温度ヒューズが溶断する機能を保持できる温水洗浄便座装置を提供することを目的とする。
【０００８】
【課題を解決するための手段】
本発明における温水洗浄便座装置は、洗浄水を噴出して人体局部を洗浄する洗浄ノズルと、外部より供給された水を貯溜し、温水に変換する熱交タンクを備え、その熱交タンクにおける水の供給口がタンク上面にあり、供給口に接合された給水拡散を行う円錐状の給水ガイドを金属材料または難燃性の高分子により構成したことを特徴とする。
これにより、洗浄ノズルから噴出される温水の持続時間を長くするために、給水口に接合された給水拡散を行う円錐状の入水ガイドの先端を温水ヒーターに近づけ且つ温水ヒーターの出力ワット数を大きくしても、熱交換タンクの空焚き時に温水ヒーターの熱によって入水ガイドの先端が著しく炭化することなく、温度ヒューズが溶断し、安全に温水ヒーターへの通電経路を遮断することができる。
【０００９】
【発明の実施の形態】
本発明に基づく温水タンクＡの分解斜視図を図１に、組立後の縦断面図を図２に示す。温水タンクＡは、樹脂成形品で構成する上タンク１および下タンク２からなり、前記上タンク１には、タンク内の水の有無を検出するフロートスイッチ３を組み付けるための挿入口１ａ、温水タンクＡから湯を供給するための出湯口４およびタンク内へ水が過剰に供給された場合に水を外へ排出させる排出口５を持つバキュームブレーカー６を組み付けるための弁座構成体１ｂ、沸かした温水の温度を検知し湯温を制御するサーミスタ７を組み付けるための挿入口１ｃ、湯温制御機能が故障したとき作動するバイメタル式の温度過昇防止器８を組み付けるための挿入口１ｄ、温水タンクＡ内に水を導入する給水口９を取り付けるための１ｅ，開口部上面全周に設けられるフランジ部１ｆが一体的に形成する。なお、給水口９はタンク内方に突出しており、別体で形成する円錐状の給水ガイド１０を接合する。
【００１０】
一方、下タンク２には、熱交換タンクの空焚き時に温水ヒーターへの通電経路を遮断する温度ヒューズ１１を組み付けるための温度ヒューズ取り付け台座２ａ、タンク内の水を温める温水ヒーター１２を組み付けるための挿入口２ｂ、温水タンク内の水を排出するための水抜き弁１３を螺着するための水抜口２ｃ、開口部上面全周に設けられるフランジ部２ｄを一体的に形成する。
【００１１】
また、上タンク１と下タンク２の接合については、フランジ部１ｆ、２ｄの全周を振動溶着あるいは超音波溶着する方法、または上タンク１と下タンク２の間にパッキンを介し、フランジ部１ｆ、２ｄの全周をビスのセルフタッピングにて締結する方法の両方を用いることができる。
【００１２】
上タンク１と下タンク２の材質としては、ガラス繊維強化ナイロン６６樹脂、ガラス繊維強化ＡＢＳ樹脂、ガラス繊維強化ポリプロピレン樹脂、長繊維ガラス強化ポリプロピレン樹脂等の熱可塑性樹脂が使用されている。
【００１３】
本発明における第１の実施の形態は、給水ガイド１０が難燃性の熱可塑性高分子材料から構成されている。ここでいう難燃性とは、ＵＬ９４規格におけるＵＬ垂直燃焼試験法において、Ｖ−０等級を満足する材料のことを言う。使用される材質は、ガラス繊維強化ポリプロピレン樹脂、長繊維ガラス強化ポリプロピレン樹脂ガラス繊維強化ＡＢＳ樹脂、ガラス繊維強化ナイロン樹脂、変性ポリフェニレンオキサイド樹脂等の熱可塑性樹脂材料のうち、ＵＬ９４規格におけるＵＬ垂直燃焼試験法において、Ｖ−０等級を満足するグレードが適用できる。
この場合、洗浄ノズルから噴出される温水の持続時間を長くするために、供給口に接合された給水拡散を行う入水ガイドの先端を温水ヒーターに近づけ且つ温水ヒーターの出力ワット数を大きくしても、熱交換タンクの空焚き時に温水ヒーターの熱により入水ガイドの先端が著しく炭化することなく、温度ヒューズが溶断し、安全に温水ヒーターへの通電経路を遮断することができる。
【００１４】
本発明における第２の実施の形態は、給水ガイド１０が金属材料により構成されている。使用される材質はステンレス鋼であるならば、いずれの鋼種も適用できる。
この場合、洗浄ノズルから噴出される温水の持続時間を長くするために、給水口に接合された給水拡散を行う入水ガイドの先端を温水ヒーターに近づけ且つ温水ヒーターの出力ワット数を大きくしても、熱交換タンクの空焚き時に入水ガイドの先端が著しく炭化することなく、温度ヒューズが溶断し、安全に温水ヒーターへの通電経路を遮断することができる。
【発明の効果】
本発明の効果は、洗浄ノズルから噴出される温水の持続時間を長くするために給水拡散を行う円錐状の入水ガイドの先端を温水ヒーターに近づけ、さらに温水ヒータのワット数を大きくした場合、熱交換タンクの空焚き時に温水ヒータの熱によって入水ガイドの先端が著しく炭化することなく温度ヒューズが溶断する機能を保持できる温水洗浄便座装置を提供することができる。
【図面の簡単な説明】
【図１】本発明の実施例の温水タンクＡの分解斜視図
【図２】本発明の実施例の温水タンク組み立て後の縦断面図
【符号の説明】
Ａ…本実施例に基づく温水タンク、１ｇ…  溶着リブＢ…温水タンク溶着部  、１ｈ…  バリかくし１…  上タンク、  ２…  下タンク１ａ…  フロートスイッチ挿入口  、２ａ…  温度ヒューズ取付台座１ｂ…  バキュームブレーカー弁座構成体、２ｂ…  温水ヒーター挿入口１ｃ…  サーミスタ挿入口、２ｃ…  水抜き部１ｄ…  バイメタル式温度過昇防止器挿入口、２ｄ…  フランジ部１ｅ…  入水口取付穴  、２ｅ…  溶着リブ１ｆ…  フランジ部、２ｆ…  バリかくし３…  フロートスイッチ、４…  出湯口、５…  排出口６…  バキュームブレーカー、７…  サーミスタ８…  バイメタル式温度過昇防止器、９…  給水口１０…給水ガイド、１１…  温度ヒューズ、１２…  温水ヒーター、１３…  水抜き弁
【図１】
2004360285.tif 000003
【図２】
2004360285.tif 000004